(57)【要約】      （修正有）【課題】任意の調の音階を簡単に得ることができる音盤組み替え式打楽器を提供する。【解決手段】ドレミファソラシドと嬰又は変のドレミファソラシドを含む音盤から成る打楽器について、ドレミファソラシドと嬰又は変のドレミファソラシドを含む音を発する音盤１２を、それよりも大形の基盤に１個ずつ取り付け、特定音を発する独立した音盤体１１を形成し、音盤体１１を所定の位置に並べて任意の調の音階を形成するために、必要な全ての音盤体１１をスペーサー２２、２３とともに固定手段２５により所定の配列に固定する。【選択図】図１
0003110503.tif 000002
【実用新案登録請求の範囲】
【請求項１】
ドレミファソラシドと嬰又は変のドレミファソラシドを含む音盤から成る打楽器であっ
て、ドレミファソラシドと嬰又は変のドレミファソラシドを含む音を発する音盤を、それよりも大形の基盤に１個ずつ取り付け、特定音を発する独立した音盤体を形成し、音盤体を所定の位置に並べて任意の調の音階を形成するために、必要な全ての音盤体をスペーサーとともに固定手段により所定の配列に固定した構成を有する音盤組み替え式打楽器。
【請求項２】
必要な全ての音盤体とスペーサーを固定する手段が、それらを嵌め込む箱である請求項１記載の音盤組み替え式打楽器。
【請求項３】
箱は、基盤の幅の整数倍プラス２分の１の間口幅と、長さの整数倍の奥行きから成る内寸を有する請求項２記載の音盤組み替え式打楽器。
【考案の詳細な説明】
【技術分野】
【０００１】
本考案は、ドレミファソラシドと嬰又は変のドレミファソラシドを含む音盤から成る打楽器に関するものである。
【背景技術】
【０００２】
シロホン或いはグロッケンなどとも呼ばれる木琴類は、台枠上に音盤を音階にしたがって取り付けた構造を有する。このため、音階の種類すなわち調は個々の楽器個有のものであり、調を変えることは演奏技術的に容易ではない。調の異なる楽器も存在しないわけではないが、その楽器を用いて他の調に変えるときには同じように技術的な困難が伴なう。調の異なる楽器を製作するとなると、イロハニホヘト及び嬰変のイロハニホヘトを主音とする長調、短調各２４種を用意する必要があり、厖大な数の楽器が必要となる。
【０００３】
【特許文献１】特開平１１−３８９６４号
【考案の開示】
【考案が解決しようとする課題】
【０００４】
本考案は前記の点に着目してなされたもので、その課題は、任意の調の音階を簡単に得ることができる音盤組み替え式打楽器を提供することである。また本考案の他の課題は、任意の調の音階を得るため音盤の移動と固定を簡単かつ確実に行えるようにすることである。
【課題を解決するための手段】
【０００５】
前記の課題を解決するため本考案は、ドレミファソラシドと嬰又は変のドレミファソラシドを含む音盤から成る打楽器について、ドレミファソラシドと嬰又は変のドレミファソラシドを含む音を発する音盤を、それよりも大形の基盤に１個ずつ取り付け、特定音を発する独立した音盤体を形成し、音盤体を所定の位置に並べて任意の調の音階を形成するために、必要な全ての音盤体をスペーサーとともに固定手段により所定の配列に固定した構成とするという手段を講じたものである。
【０００６】
本考案における、一つの特徴は、１個の音盤を１個の基盤に取り付け、特定音を発する１個ずつ独立した音盤体を形成するという構成にある。音盤体は、１オクターブについてドレミファソラシドの８個と、嬰又は変のドレミファソラシドとから成るが、或る音の半音高い音が或る音の次の音よりも半音低い音に一致している場合もあるので、嬰又は変の音についは鍵盤楽器における黒鍵の５個を必要とするのみである。よって、黒鍵群と黒鍵群との間と同様の空所があるので、この空所を埋めるためにスペーサーを配置する。スペーサーは基盤１個と同形同大のもの、及び幅のみ２分の１のものから成り、それらを必要数使用する。
【０００７】
１個の音盤は１個の基盤に１個だけ取り付けられるが、基盤の方が音盤よりも大形である必要がある。基盤は隣り同士で接触しても差し支えないが、音盤は接触させると目的の音が出ず、そのために音盤の周囲に隙間を必要とするからである。この音盤間の隙間は、音盤体を移動のために摘む指先の差し込み場所としての役割も持っている。
【０００８】
本考案におけるもう一つの特徴は、音盤体とスペーサーを含む所定の配列を固定手段により固定するという構成にある。固定手段は、全ての音盤体とスペーサーの集合体を一体として扱えるようにするもので、囲み枠や箱などが該当する。固定手段としての箱は、必要な全ての音盤体と、スペーサーを嵌め込んで所定の位置関係を保持するものである。そのような箱は、基盤の幅の整数倍プラス２分の１の間口幅と長さの整数倍の奥行きから成る内寸を有するものであることが望ましい。
【０００９】
本考案における音盤体は１個ずつ独立しており、１個の音盤をマレットにより叩いたときに発生する音の共鳴空間を基盤に設けることが望ましい。音盤は両端近くの２箇所で、止め具により、基盤に木琴又は鉄琴と同様に取り付けられる。音盤は金属製でも良いし、また木製でも良い。
【考案の効果】
【００１０】
本考案は以上の如く構成され、かつ作用するものであるからドレミファソラシドと嬰又は変のドレミファソラシドを含む音盤と基盤より成る音盤体の集合体であるので、これらの音盤体の配列を変更し、任意の調の音階を簡単に得ることができるものであり、音盤体が１個１個独立しており、自由に摘み上げて配列を変えることができるので、取り扱いも簡単かつ確実に行えるという効果を奏する。
【考案を実施するための最良の形態】
【００１１】
以下図示の実施形態を参照して本考案をより詳細に説明する。図１、図２は本考案に係る打楽器１０の全体図を示しており、個々の音盤体１１は図３、図４に示してあり、図５以下には音盤組み替えにより得られる各種の調を記載している。
【００１２】
音盤体１１は、音盤１２とそれを取り付ける台である基盤１３とから成り、音盤１１
は、ドレミファソラシドと嬰又は変のドレミファソラシドを含む音の中の１音を発するものである。例示の基盤１３は両端に支持部１４、１５が立ち上がり、それらの間に共鳴空間１６を設けてあるもので、音盤１２は両端近くの２箇所で、止め具１７により支持部
１４、１５に支持片１８を介して取り付けられている。止め具１７は軟弾性材料により成る緩衝材１９を介して音盤１２を固定している。
【００１３】
音盤１２は音程によって定まる所定の長さを有する金属板より成り、２オクターブプラス１音分の全音の１６枚と、半音の１１枚分とが用意されている。これに対して基盤１３は音盤１２（の内の最大のもの）の平面形よりも大形に形成され、それによって、並列時に音盤同士の接触を防止するとともに、音盤体１１を摘むときの隙間２１を得ている。スペーサー２２、２３は基盤と外寸が同じか、或いは長さが同じで幅のみ２分の１の外寸を持つ２種類のものから成り、どちらのものもブロック状に形成されている。スペーサー２２、２３は木製又はプラスチックによって形成されている。
【００１４】
これらの音盤体１１とスペーサー２２、２３の集合体２４を一体として扱えるようにするために固定手段が組み合わされる。例示の固定手段は、必要な音盤体１１とスペーサー２２、２３の全てを嵌め込んで収める箱２５であり、この箱２５は、基盤１３の幅の整数倍プラス２分の１の間口幅Ｗと、基盤１３の長さの整数倍の奥行きＢから成る内寸を有している。従って、全ての音盤体１１をスペーサー２２、２３とともに所定の位置に配置することにより、本考案に係る打楽器１０となる（図２参照）。
【００１５】
このような構成を有する本考案の音盤組み替え式打楽器１０を使用して特定の調を形成し、また変更することができるのであり、以下にその例を示す。図５は、白丸を付けてあるＣ＝ドを主音とし、主音と第３音との間が長三度をなし、第３、４音と第７、８音の間が半音の他は全音程の構成を持つＣ調（ハ長調）の組み合わせを示す。これはＡｍ（エーマイナー）イ短調と主音は異なるが同じ配列でもある。図６は、Ｄ＝レを主音とするニ長調の構成を持つ組み合わせであり、主音と第３音との間の長三度、第３、４音と第７、８音の間が半音の点、長調であるから図５の例と同じである。しかし、ニ長調の音盤の配置はハ長調に対して長一度だけ高い方にずれているので、それに伴い黒鍵に相当する音盤体も高い方にずれて行く。そして、ミの半音高（ミ♯）はファと名を変え、またシの半音高（シ♯）はドと名を変えることが理解されることになる。なおニ長調はＢｍ（ビーマイナー）ロ短調と同じ配列でもあり、１オクターブ上のＧは使わない。
【００１６】
以下同様に、図７はホ長調（或いはＣ♯ｍ＝嬰ハ短調）、図８はヘ長調（或いはＤ♯ｍ＝ニ短調）、図９はト長調（或いはＥｍ＝ホ短調）、図１０はイ長調（或いはＦｍ＝嬰ヘ短調）、図１１はロ長調（或いはＧ♯ｍ＝嬰ト短調）を示しており、これらの規則性によって音盤体１１を主音とともに移動させて行けば、目的とする調の音階を構成できることが分かる。さらに、図１２は変ニ長調（或いはＧ♯ｍ＝嬰ハ長調＝Ｂ♭ｍ＝変ロ短調）、図１３は変ホ長調（或いはＣｍ＝ハ短調）、図１４は変イ長調（或いはＦｍ＝へ短調）、図１５は変ロ長調（或いはＧｍ＝ト短調）、図１６は嬰へ長調（或いはＤ♯ｍ＝嬰ニ短調＝Ｇ♭＝変ト長調）の各配列を示している。各図共、白丸が主音である。
【００１７】
このように本考案によれば、最少限１２音で１オクターブの全ての音程を構成し得ることが一目瞭然理解できるのみならず、全ての調は１２音の並べ変えを基本とすることが明瞭に理解される。かつまた、本考案に係る打楽器１０を使用して、目的の調の曲目を演奏することができるので、ハ長調の楽器を使用して楽譜の指示に従って半音上げ下げする技術を用いなくても、図５以下に示した配列の中から目的の調を選択し、マレット２６により音盤１２を叩くだけで、シャープ或いはフラットの記号数のとおりの調の曲目の演奏をたやすく実行することができる。
【図面の簡単な説明】
【００１８】
【図１】本考案に係る音盤組替え式打楽器の１実施形態を示す分解斜視図。
【図２】同上の平面図。
【図３】本考案に使用する音盤体とスペーサー２種を示す斜視図。
【図４】同じく音盤体の縦断面図。
【図５】本考案によるハ長調の音盤配列を示す説明図。
【図６】本考案によるニ長調の音盤配列を示す説明図。
【図７】本考案によるホ長調の音盤配列を示す説明図。
【図８】本考案によるヘ長調の音盤配列を示す説明図。
【図９】本考案によるト長調の音盤配列を示す説明図。
【図１０】本考案によるイ長調の音盤配列を示す説明図。
【図１１】本考案によるロ長調の音盤配列を示す説明図。
【図１２】本考案による変ニ長調の音盤配列を示す説明図。
【図１３】本考案による変ホ長調の音盤配列を示す説明図。
【図１４】本考案による変イ長調の音盤配列を示す説明図。
【図１５】本考案による変ロ長調の音盤配列を示す説明図。
【図１６】本考案による嬰ヘ長調の音盤配列を示す説明図。
【符号の説明】
【００１９】
１０  音盤組み替え式打楽器
１１  音盤体
１２  音盤
１３  基盤
１４、１５  支持部
１７  共鳴空間
２１  隙間
２２、２３  スペーサー
２４  集合体
２５  箱
【図１】
0003110503.tif 000003
【図２】
0003110503.tif 000004
【図３】
0003110503.tif 000005
【図４】
0003110503.tif 000006
【図５】
0003110503.tif 000007
【図６】
0003110503.tif 000008
【図７】
0003110503.tif 000009
【図８】
0003110503.tif 000010
【図９】
0003110503.tif 000011
【図１０】
0003110503.tif 000012
【図１１】
0003110503.tif 000013
【図１２】
0003110503.tif 000014
【図１３】
0003110503.tif 000015
【図１４】
0003110503.tif 000016
【図１５】
0003110503.tif 000017
【図１６】
0003110503.tif 000018